(57)【要約】      （修正有）【課題】移動板部を固定板部から分離させるときの引っ張りに大きな力を要することのないようにし、製函時に中板が分離せず、かつ開封操作が容易に行なえる紙箱を提供する。【解決手段】紙箱本体内部に配置の中板９に分割線１９を設け、分割線１９は直線状にして不連続な切り込み１６、１７、１８と切り込み間のつなぎ２６とから形成し、つなぎ２６を間にする一方の切り込み１６と他方の切り込み１７の内、一方の切り込み１６に他方の切り込み１７に非接触状態で回り込んで平行に近接する延長切り込み２８を連続させ、他方の切り込み１７と延長切り込み２８との間に、中板９に対する引っ張り時に延長切り込み２８の終端側が回動基部となって引っ張り方向に回動可能なつなぎ破断手段２７が設けられていて、つなぎ破断手段２７のつなぎ２６側の端部を、つなぎ切断手段２７の長手方向に対して直交する方向に屈曲してつなぎ２６に連続させた。【選択図】図１
2015199501.tif 000002
【特許請求の範囲】
【請求項１】
紙箱本体の内側に中板を備えていて、この中板に、紙箱本体の上部側からの中板に対する引っ張りの操作で中板が上下に分割されるように前記引っ張りの方向と直交する方向に直線状にした不連続な切り込みを入れてなる分割線を設けて、前記中板が、紙箱本体の上部側の移動板部とこの移動板部に前記分割線を介して連接する固定板部とに区分されていて、前記引っ張りの操作により分割線での近接した切り込みと切り込みとの間のつなぎが破断し、前記移動板部が前記固定板部から分離して引き上げ可能となる紙箱において、
前記分割線のつなぎを間にして隣り合う一方の切り込みと他方の切り込みとの内、一方の切り込みに、該一方の切り込みのつなぎ側の端部から前記他方の切り込み側であって分割線の長さ方向と交差する斜め方向に延設されて他方の切り込みと非交差となる第一延長部とこの第一延長部から分割線の長さ方向に沿って延設されて他方の切り込みと平行にして近接する第二延長部とからなる延長切り込みが連続していて、
前記他方の切り込みと前記延長切り込みとの間に、前記つなぎから延長切り込みの終端側にかけて前記引っ張り方向と直交する方向を長手として、中板に対する前記引っ張り時に延長切り込みの終端側が回動基部となって引っ張り方向に回動可能な細板状のつなぎ破断手段が設けられていて、
前記つなぎ破断手段のつなぎ側の端部は、つなぎ切断手段の長手方向に対して直交する方向に屈曲してつなぎに連続していることを特徴とする紙箱。
【請求項２】
上記分割線におけるつなぎは、分割線の中央を分割線に直交して通る中心線を間にして対称となる位置に設けられ、前記つなぎに連続する上記つなぎ破断手段は、前記中心線を間にして対称となる形状とされている請求項１に記載の紙箱。
【発明の詳細な説明】
【技術分野】
【０００１】
本発明は紙箱、特に紙箱の使用者側が行なう開封操作などとして紙箱を構成している板紙の一部分を分離し易くするとともに、この紙箱の製造過程では前記分離部分が離れないようにした紙箱に関するものである。
【背景技術】
【０００２】
従来から粒状の菓子を収容している紙箱の一つのタイプには、外面を構成する面板の一つに振り出し口を有してその振り出し口を必要時に開いて振り出しなどにより収容物を取り出すことができるようにしたものがある。さらに具体的な構造としては、前記振り出し口の開け閉めに関して、振り出し口がある面板の紙箱本体での内面側に中板を配して振り出し口を箱内方から閉じるようにし、紙箱本体の上部にある天面板の一辺を回動中心として開くような回動操作と天面板を元に戻すための閉じの回動操作とに前記中板が連動して上がり下がりし、中板が上方に引っ張られることで振り出し口が開き、振り出し口の開き状態から中板が下がることで振り出し口が再閉されるようにした紙箱があり、天面板側の操作によって開いた振り出し口から粒状の菓子を振り出しできるようにしていたものであった。
【０００３】
そして上記紙箱を一枚のブランクを組み起こして得るために、例えば特許文献１に示されているように、その中板を一枚のブランク中に構成していて、天面板側の動きに連動して移動する部分（振り出し口を閉鎖する箇所を含んでいる部分）と紙箱本体に対して固定となって移動しない部分とに区分し、移動部分と固定部分とを直線状の切り込みを不連続に配してなる分割線を介して連接させているものがあった。このような紙箱では、上述したように開封の際の天面板側の開き回動操作で分割線における切り込みと切り込みとの間のつなぎを切断することによって、移動部分が移動可能となるものであった。
【０００４】
中板の一部であって振り出し口に対応する部分が開封に際して中板の固定となっている部分から離れるようにした上記紙箱も、粒状の収納物を振り出し口から取り出すことができる一般的な紙箱として縦長の形状に倣っているものであり、一例として特許文献１の紙箱の構造を概略的に説明すればつぎの通りである。
【０００５】
図７に示すように、まず、振り出し口ａとする開口がある正面板ｂと左右の側面板ｃ、ｄと背面板ｅとが横一連にして連接されているとともに、一部分が貼着領域ｆとなって胴貼り（サック貼り）するときに一つの側面板ｃの内面側に貼り合わせて重ねる内側面板ｇ、さらにこの内側面板ｇに中板ｈが連接されていて、サック貼りしてから角柱状などとして胴部が組み上げられたときに中板ｈが正面板ｂの紙箱本体での内面側に沿って配置されている。（図８参照）
【０００６】
正面板ｂ、左右の側面板ｃ、ｄ、背面板ｅとの下端側にはそれぞれ底部閉鎖のための面板が連接されていて、側面板ｃ、ｄには下フラップｉが連接されて折り込まれ、正面板ｂには内底面板ｊが連接して折り込まれ、さらに背面板ｅに連接された外底面板ｋが折り込まれて内底面板ｊに貼り合わせている。
【０００７】
左右の側面板ｃ、ｄと背面板ｅとの上端側にも同様に天部閉鎖のための面板が連接されていて、側面板ｃ、ｄそれぞれの上端に上フラップｌが連接されて折り込まれている。中板ｈの上端には貼着板としての内天面板ｍが連接されて前記上フラップｌに重なるように折り曲げられ、これに背面板ｅの上端に連接の外天面板ｎが折り重ねられて貼り合わされていた。（図９）
【０００８】
中板ｈでは振り出し口ａに対応する高さ位置より下位とする高さ位置にして、直線状の二本の切り込みｏを不連続に配してなる分割線ｐを中板幅方向に亘って設け、箱上部側を移動板部ｑに、箱下部側を固定板部ｒにして両者を分割線ｐを介して上下に区分していた。移動板部ｑ自体は上部に上記内天面板ｍが連接されているとともに分割線ｐを介して固定板部ｒに連接しているが、内側面板ｇには直接的には連接されず、固定板部ｒが折り部分を介して内側面板ｇに連接されている。
【０００９】
そして、開封に際し、天面板側（外天面板と内面面板）を背面板上端部分を回動中心となるように上方に回動させることで、前記分割線ｐにおける切り込みｏと切り込みｏとの間のつなぎｓを破断させ、これによって移動面板ｑが箱上部側に移動して振り出し口ａが開放される。なお、移動板部ｑは、内側面板ｇの移動板部ｑに対応する側部を切り欠いた領域に延設された係止板部ｔを備え、移動板部ｑが上方移動したときに上フラップｌに係止して、振り出し口ａを開放する位置より上位置に移動しないように位置決めされる構成としていた。
【先行技術文献】
【特許文献】
【００１０】
【特許文献１】米国特許第４０８１１２８号明細書
【発明の概要】
【発明が解決しようとする課題】
【００１１】
上述した紙箱にあっては中板の移動板部が箱上部側からの引っ張りにより引き上げられるようにするためにその中板の幅方向に亘って分割線が設けられていて、前記移動板部を引っ張る操作がそれ程の引き上げ力を要するものとしないようにするためには、切り込み間のつなぎの幅を小さくすればよいものである。図９にて引っ張り上げる方向を矢印Ａとして示した。
【００１２】
しかしながら、上記分割線の方向は、内側面板と背面板との間の折り罫と直交する方向となっていて、サック貼りの際、即ち、中板が連接した状態の内側面板を背面板の紙箱本体の内面側に折り重ねるときに折りの振動が伝わるなどして、図１０に示す如く分割線のつなぎが破断して移動板部が分離してしまう可能性が高く、つなぎの幅を小さくすることができない。そのため、製函された紙箱を開封するときの移動板部を引っ張り上げるときに比較的大きな力が必要となっている。そして、一般使用者側の開封性を考慮する上では紙箱の包材の厚さや種類も検討条件に入ることとなり、分割線の設計が非常に難しくなるという不具合があった。なお、サック貼り時の内側面板と中板との折り方向を図７中の矢印Ｂにて示した。
【００１３】
そこで本発明は上記事情に鑑み、サック貼りの際のブランクに対する折り加工がなされたときに上記分割線のつなぎが破断しないようにしながらも、上記移動板部を固定板部から分離させるときの引っ張りに大きな力を要することのないようにすることを課題とし、製函時に中板が分離せず、かつ開封操作が容易に行なえる紙箱を提供することを目的とするものである。
【課題を解決するための手段】
【００１４】
（請求項１の発明）
本発明は上記課題を考慮してなされたもので、紙箱本体の内側に中板を備えていて、この中板に、紙箱本体の上部側からの中板に対する引っ張りの操作で中板が上下に分割されるように前記引っ張りの方向と直交する方向に直線状にした不連続な切り込みを入れてなる分割線を設けて、前記中板が、紙箱本体の上部側の移動板部とこの移動板部に前記分割線を介して連接する固定板部とに区分されていて、前記引っ張りの操作により分割線での近接した切り込みと切り込みとの間のつなぎが破断し、前記移動板部が前記固定板部から分離して引き上げ可能となる紙箱において、
前記分割線のつなぎを間にして隣り合う一方の切り込みと他方の切り込みとの内、一方の切り込みに、該一方の切り込みのつなぎ側の端部から前記他方の切り込み側であって分割線の長さ方向と交差する斜め方向に延設されて他方の切り込みと非交差となる第一延長部とこの第一延長部から分割線の長さ方向に沿って延設されて他方の切り込みと平行にして近接する第二延長部とからなる延長切り込みが連続していて、
前記他方の切り込みと前記延長切り込みとの間に、前記つなぎから延長切り込みの終端側にかけて前記引っ張り方向と直交する方向を長手として、中板に対する前記引っ張り時に延長切り込みの終端側が回動基部となって引っ張り方向に回動可能な細板状のつなぎ破断手段が設けられていて、
前記つなぎ破断手段のつなぎ側の端部は、つなぎ切断手段の長手方向に対して直交する方向に屈曲してつなぎに連続していることを特徴とする紙箱を提供して、上記課題を解消するものである。
【００１５】
（請求項２の発明）
そして、上記発明において、上記分割線におけるつなぎは、分割線の中央を分割線に直交して通る中心線を間にして対称となる位置に設けられ、前記つなぎに連続する上記つなぎ破断手段は、前記中心線を間にして対称となる形状とすることが可能である。
【発明の効果】
【００１６】
（請求項１の発明の効果）
本発明によれば、分割線のつなぎを間にして相対する一方の切り込みと他方の切り込みの内、一方の切り込みに他方の切り込みに交差しない延長切り込みを連接させて、他方の切り込みと延長切り込みとの間につなぎ破断手段が設けられており、そのつなぎ破断手段のつなぎ側の端部が、つなぎ切断手段の長手方向に対して直交する方向に屈曲してつなぎに連続しているので、移動板部を引っ張って箱上部側に移動するときに、つなぎ破断手段が延長切り込みの終端側が回動基部として引っ張り方向に回動する。
【００１７】
そして、そのつなぎ破断手段のつなぎ側の端部では、ねじれを生じ始める時点で、一方の切り込みのつなぎ側の端部から延長切り込みに沿っている部分がそのねじれ変形に抗する働きをする一方、他方の切り込みのつなぎ側の端部回りでは応力が集中し、この応力の集中によって裂けが他方の切り込みの端部から生じてつなぎが破断される。
【００１８】
つなぎ破断手段での延長切り込みの終端側（つなぎ破断手段の回動基部側）では、このつなぎ破断手段が回動することで、延長切り込みの終端回りに応力が集中する可能性もあるが、他方の切り込みに沿った部分が直線状に延びているため、つなぎ破断手段の回動時の変形が比較的広がった領域で生じることとなり、延長切り込みの終端回りに応力が集中するのを防止できる。そのため、つなぎ破断手段での延長切り込みの終端側が回動基部として固定板部側に残り（回動基部が固定板部側にあった場合）、つなぎが確実に破断されることとなる。即ち、つなぎ破断手段の破断位置を事前に設定できるものとなる。
【００１９】
よって、分割線のつなぎの幅を、製函に際して影響が出易くなるまでの狭いものとする必要はなくなり、良好に製函され、かつ簡単に中板における移動板部の引っ張りが簡単に行なえる紙箱が得られるという効果を備える。
【００２０】
（請求項２の発明の効果）
請求項２の発明によれば、分割線に設ける複数のつなぎ破断手段が分割線の中央を間にして対称の形状となっているので、移動板部を引き上げるときにも、対称の関係にあるつなぎ破断手段同士は互いに逆方向に回動するようになる。そのため、移動板部は引っ張り方向に対してぶれて側面板などにぶつかって摺接するということ無しに良好に引っ張り上げることができるようになる。
【図面の簡単な説明】
【００２１】
【図１】本発明に係る紙箱の一例を展開してブランクの状態での箱外面側を示す説明図である。
【図２】サック貼りに際して一部の面板を折り重ねた状態を示す説明図である。
【図３】紙箱の一例を示す説明図である。
【図４】一例における中板の分割線の部分を拡大して示す説明図である。
【図５】移動板部が引っ張り方向に移動する時点での分割線の状態を示す説明図である。
【図６】移動板部が固定板部から分離した状態を示す説明図である。
【図７】従来の紙箱を展開してブランクの状態での箱内面側を示す説明図である。
【図８】紙箱の胴部分を断面で示す説明図である。
【図９】従来の紙箱での移動板部を引っ張り上げて振り出し口を開放した状態を示す説明図である。
【図１０】サック貼りの折りに際して移動板部が分離する状態を示す説明図である。
【発明を実施するための形態】
【００２２】
つぎに本発明を図１から図６に示す実施の形態に基づいて詳細に説明する。図１は本発明に係る紙箱１を構成している面板を展開したブランクの状態で箱外面側として示しているものであり、図７〜図９に示した従来の紙箱を構成している面板と基本的には同一である。この図１に示すように、箱高さ方向において下向きに凸の緩やかな湾曲形状とした上端に開口である振り出し口２を近接させている正面板３と、左右の側面板４、５と、背面板６とが横一連にして連接されている。また、箱高さ方向に亘るようにして一部分を貼着領域としてサック貼りにて側面板４の内面側に貼り合わせて重ねる内側面板８が背面板６に連接され、この内側面板８に中板９が連接されていて、サック貼りしてから角柱状などとして胴部が組み上げられたときに中板９が正面板３の紙箱本体での内面側に沿って配置される。
【００２３】
図示されているように正面板３と、左右の側面板４、５と、背面板６との下端側にはそれぞれ底部閉鎖のための面板が連接されており、側面板４、５には下フラップ１０が連接されて折り込まれ、背面板６には内底面板１１が連接して前記下フラップ１０に重なるようにして折り込まれ、正面板３に連接された外底面板１２が折り込まれて内底面板１１に貼り合わせている。
【００２４】
左右の側面板４、５と背面板６との上端側にも同様に天部閉鎖のための面板が連接されている。側面板４、５それぞれの上端に上フラップ１３が連接されて折り込まれている。中板９の上端には貼着部材としての外天面板１４が連接されて折り込まれた上フラップ１３に重なるように折り曲げられ、そして背面板６の上端に連接の内天面板１５が折り重ねられて貼り合わされており、前記外天面板１４と内天面板１５とが貼り合わせにより一体となって一つの天面板を構成する。
【００２５】
中板９は、振り出し口２に対応する高さ位置より下位とする高さ位置にして、直線状の三本の切り込み１６、１７、１８を不連続に配してなる分割線１９を中板幅方向に亘って設けている。そして、従来の紙箱の場合と同様に、箱上部側を移動板部２０とし、箱下部側を固定板部２１にして上下に区分されていて、移動板部２０と固定板部２１とを区分する分割線１９を介して両板部２０、２１が連接されている。
【００２６】
上記固定板部２１は内側面板８に連接されている。移動板部２０にあっては箱上部への移動が行ない易くなるようにするために、内側面板８との間が切り欠かれており、内側面板８の上部側に移動板部２０に向けて突出した形状の支持部２２にのみ分離容易に連接されている。また、移動板部２０には、箱上部へ引っ張り上げられて上フラップ１３に係止することでその箱上部へ向けた移動が止まるようにするための係止板部２３が、移動板部自体の両側辺を段の付いた切り欠き形状とすることで形成されている。
【００２７】
さらに、上記移動板部２０の分割線１９側には、この移動板部２０が固定板部２１から分離していない状態で上記振り出し口２と相対しない位置であって、所定の高さ位置まで（上フラップに係止して位置決めされた位置まで）に到達したときに振り出し口２に重なる位置にして切り欠き部２５が設けられている。この切り欠き部２５は図示されているように、分離線１９の中央に位置する切り込み１７に達して半円状の開口として形成されている。
【００２８】
紙箱１は図３に示されているように胴部の四方の外面を正面板３、左右の側面板４、５、背面板６として縦長とされ、箱底部を上記内底面板１１と外底面板１２との重ね合わせで閉じ、また箱上部を上記外天面板１４と内天面板１５との重ね合わせで閉じている。
【００２９】
この紙箱１の開封は上述した従来の例と同じように正面板３の上端の弧状部分のやや上位置で移動板部２０と外天面板１４との間の折り部分で切り起こされた爪部２５などに指先を掛けながら上方に箱天部の部分を引き上げるようにすることで、後述の構造とした分割線１９の位置で移動板部２０が固定板部２１から分離し、正面板３の振り出し口２を箱内方から閉じていた前記移動板部２０が位置決めされる高さ位置まで引っ張られて上昇することで振り出し口２の上縁部分に前記切り欠き部２４が重なり、振り出し口２が開放される。図３中に引っ張りの方向を矢印Ａで示した。
【００３０】
また、移動板部２０が箱上部での天面板側の戻しの回動操作が行なわれることで箱底部に向けて移動し、切り欠き部２４が振り出し口２の最下部より下位置に下がることで再閉される。なお、ブランクの状態で破線として示されている部分は折り罫を示しており、この位置で折りが行なわれて組み起こし、所要位置を貼り合わせることで紙箱１が得られる。
【００３１】
（分割線）
上記分割線１９では、図示されているようにそれぞれ直線とされた三本の切り込み１６、１７、１８が直線状にして不連続に並んで中板９の幅方向に亘って設けられている。三本の切り込みの内、中央の切り込み１７が長く形成され、中板９の自由端から入れられた短かい切り込み１６がつなぎ２６を間にして前記切り込み１７と並び、内側面板８側から入れられた短かい切り込み１８が同様につなぎ２６を間にして切り込み１７と並んでいる。
【００３２】
本発明においては上記つなぎ２６それぞれにつなぎ破断手段２７が連続するように設けられていて、このつなぎ破断手段２７の働きにより必要時につなぎ２６が破断するようにしている。この実施の例では、二つのつなぎ２６が、分割線１９の中央をこの分割線１９の長手方向に直交する方向で通る中心線（移動板部の中心線ともなる）を間にして対称位置にある。
【００３３】
そして、つなぎ２６に連続する二つのつなぎ破断手段２７は、前記中心線を間にして対称となる形状に設けられている。以下では二つのつなぎ破断手段の内、一方のつなぎ破断手段を説明しているが、他方のつなぎ破断手段も位置と形状が対称となっている以外は他方のつなぎ破断手段は一方のつなぎ破断手段と同じであるので説明を省略する。
【００３４】
（つなぎ破断手段）
短かい上記切り込み１６と長く中央に位置する上記切り込み１７との内、切り込み１６のつなぎ２６側に、固定板部２１側に位置して切り込み１７の下位置に入り込むようにした延長切り込み２８が連続している。図４に拡大して示しているように、前記延長切り込み２８は、切り込み１６のつなぎ２６側の端部から切り込み１７側であって分割線１９の長さ方向と交差する斜め方向に延設されて、切り込み１７とは非交差としている第一延長部２９と、第一延長部２９の端部から分割線１９の長さ方向に沿って延設されて切り込み１７と平行にして近接する直線状の第二延長部３０とからなる。なお、前記第一延長部２９は図においては直線状としているが、固定板部２１側に若干ながら凸となるような緩やかな弧状であってもよいものである。
【００３５】
そして、長い切り込み１７と上記延長切り込み２８との間には、短かい切り込み１６の端部から延長切り込み２８が連続することで細板状の上記つなぎ破断手段２７が形成されている。このつなぎ破断手段２７は、つなぎ２６から延長切り込み２８の端部（終端）側にかけて中板９（移動板部２０）を引っ張る方向と直交する方向を長手とする前記細板状の形態とされており、中板９に対する引っ張り時に延長切り込み２８の終端側３１が回動基部となって引っ張り方向（矢印Ａ方向）に向けて回動可能となるものである。
【００３６】
また、上記つなぎ破断手段２７のつなぎ２６側の端部３２は、上記第一延長部２９の切り込み形成によって、つなぎ切断手段２７の細板状部分の長手方向に対して直交する方向に屈曲する形状となっており、つなぎ破断手段２７のつなぎ２６側の端部３２が移動板部２０側に向けて屈曲してつなぎ２６に連続している。
【００３７】
上述したようにつなぎ破断手段２７において、延長切り込み２８の終端側３１を回動基部として引っ張り方向に向けて回動可能となるようにしており、また、つなぎ破断手段２７のつなぎ２６側の端部３２は、つなぎ切断手段２７の長手方向に対して直交する方向に屈曲してつなぎ２６に連続しているので、移動板部２０を引っ張って箱上部側に移動させるときに、つなぎ破断手段２７が、延長切り込み２８の終端側を回動の基部として引っ張り方向に回動する。図５参照
【００３８】
つなぎ破断手段２７のつなぎ２６側の端部３２でねじれを生じ始める時点で、延長切り込み２８の第一延長部２９に沿っている部分がそのねじれ変形に抗する働きをする。一方、切り込み１７のつなぎ２６側の端部回りでは包材の変形や延びが生じる余裕部分が無いので応力が集まり易く、第一延長部２９に沿っている部分で生じる抗力の影響によっても切り込み１７のつなぎ２６側の端部回りへの応力の集中が増加することとなる。即ち、つなぎ破断手段２７のつなぎ２６側の端部３２での第一延長部２９に沿っている部分３３が突っ張った状態になっているにも拘わらず、回動の動きが進むことで切り込み１７のつなぎ２６側の端部回りへの応力集中の度合いが増す。この応力の集中によって裂け３４が切り込み１７の端部から生じてつなぎ２６が確実に破断されるものとなる。図５、図６参照
【００３９】
上記実施の例においてつなぎ破断手段２７が固定板部２１側に位置している構造を例示したが、本発明はこれに限定されるものではなく、移動板部２０側につなぎ破断手段２７が位置するようにしてもよい。また、分割線１９において上記中心線を間にしてつなぎ破断手段２７が対称配置され、対称形状であることが好ましいが、必ずしもこれに限定されるものではなく、分割線に奇数個のつなぎがあって、それぞれにつなぎ破断手段が連続する構成のものであってもよい。
【符号の説明】
【００４０】
１…紙箱
２…振り出し口
９…中板
１６、１７、１８…切り込み
１９…分割線
２０…移動板部
２１…固定板部
２３…係止板部
２５…爪部
２６…つなぎ
２７…つなぎ破断手段
２８…延長切り込み
２９…第一延長部
３０…第二延長部
３３…第一延長部に沿う部分
３４…裂け
【図１】
2015199501.tif 000003
【図２】
2015199501.tif 000004
【図３】
2015199501.tif 000005
【図４】
2015199501.tif 000006
【図５】
2015199501.tif 000007
【図６】
2015199501.tif 000008
【図７】
2015199501.tif 000009
【図８】
2015199501.tif 000010
【図９】
2015199501.tif 000011
【図１０】
2015199501.tif 000012